(57)【要約】【課題】  単色プリンタの印字でコストダウンを図る。また、複数商品を一行内に連続印字しても商品識別を容易にする。【解決手段】単色プリンタを用いて、行ごとまたは商品ごとに網掛けをすることで、隣接商品との差別化を行う。一行内に連続印字してよい商品群を一段落として、行内に連続する商品データごとに、網掛けまたは色彩を相違させて商品ごとの識別を容易にする。カラープリンタを用いた場合、網掛け部分に多色の色彩を用いてもよく、網掛けと色彩とを併用することは更に商品の識別を容易にする。【選択図】      図６
2005088243.tif 000002
【特許請求の範囲】
【請求項１】
印刷シートに名称とその属性とを含むデータを小型プリンタにより印字する方法であって、前記小型プリンタは単色による多種の網掛けを印字する手段を有し、前記データを印字する際、予め定められた規則に基づいてデータごとに隣接するとは異なる種類の網掛けで印字することを特徴とする小型プリンタによるデータ印刷方法。
【請求項２】
請求項１に記載の小型プリンタによるデータ印刷方法において、一つのグループを構成する複数のデータを、一行から複数行にわたり行内で連続する一段落に形成して印字することを特徴とする小型プリンタによるデータ印刷方法。
【請求項３】
請求項１に記載の小型プリンタによるデータ印刷方法において、予め定められた規則が一行置きの網掛け印字であることを特徴とする小型プリンタによるデータ印刷方法。
【請求項４】
請求項１から請求項３までのうちの一つに記載の小型プリンタによるデータ印刷方法において、前記小型プリンタは多色印字するカラープリンタであり、商品データを印字する際、多色により文字および網掛けの少なくとも一方に色情報を加えることを特徴とする小型プリンタによるデータ印刷方法。
【請求項５】
印刷シートに名称とその属性とを含むデータを小型プリンタにより印字する方法であって、前記小型プリンタは網掛けおよび色彩の少なくとも一方で印字する手段を有し、前記データを前記印刷シートの各行内で連続して印字する際、予め定められた規則に基づいてデータごとに隣接するとは異なる種類の網掛けまたは色彩で印字することを特徴とする小型プリンタによるデータ印刷方法。
【請求項６】
限られた幅の印刷シートに商品名とこの商品の属性とを商品データとして小型プリンタにより印字する商品データレジスタであって、
多種の網掛けを単色で印字する前記小型プリンタと、
商品名とこの商品の属性とを各商品データとして入力するデータ入力部と、
取り扱う商品それぞれの商品コード並びにその商品名およびその単価を予め記録し格納する商品データテーブルと、
前記データ入力部から入力された商品データに基づく顧客番号並びに商品名、その数量および合計価格を記録し格納する受注データテーブルと、
商品データの印刷順序に対する網掛け規則を予め設定し、印刷シートの種別ごとに印字の処理手順を予め記録し格納する処理プログラム格納部と、
前記小型プリンタ、前記データ入力部、前記商品データテーブル、前記受注データテーブル、および前記処理プログラム格納部と接続し、前記データ入力部から顧客番号並びに商品コードおよびその数量のデータ入力を受けた際に、前記商品データテーブルを参照してその商品名および単価を読み出し、その合計価格を計算して前記受注データテーブルに記録格納する受注データ格納処理、並びに、前記データ入力部から顧客番号により印刷出力要求を受けた際に、前記受注データテーブルから該当する顧客番号対応の商品データを取り出し、この取り出した商品データと所定の前記規則の従った商品データの網掛けとを指示して印字するよう前記小型プリンタに命令する印字命令処理を実行する制御部とを備え、
当該印字命令処理により前記小型プリンタが前記商品データを前記印刷シートに印字する際、予め定められた規則に基づいて商品データごとに隣接網掛けとは異なる網掛けで印字することを特徴とする商品データレジスタ。
【請求項７】
請求項６に記載の商品データレジスタにおいて、前記印字命令処理は、グループを構成する複数の商品データを一行から複数行にわたり行内で連続して印字し、かつ、隣接する網掛けを異なる種類とする処理を含むことを特徴とする商品データレジスタ。
【請求項８】
請求項６に記載の商品データレジスタにおいて、前記小型プリンタは、多色印字するカラープリンタであり、前記制御部の指示を受けて文字および網掛けの部分を多色の色情報で区別して隣接する商品データを見易く印字する手段を有することを特徴とする商品データレジスタ。
【発明の詳細な説明】
【技術分野】
【０００１】
本発明は、コードごとの分類確認が容易な印刷シートを、小型プリンタにより作成する際、コストダウンが可能なデータ印刷方法および商品データレジスタに関するものである。
【背景技術】
【０００２】
従来の小型プリンタによるデータ印刷方法は、このような方法を用いる商品データレジスタにおいても同様、例えば、５８ｍｍ幅という一行に１２ビット幅の半角文字を３４文字までという限られた文字数しか印刷できない印刷シートを用いている。従って、行分けまたは段落分けなどの方法を用いて、印刷された商品を容易に見分けることができるようにしている。
【０００３】
このような印刷シートには、例えば、商品購入時に購入した品物と個数および価格等とを確認するために使用されるレシートがある。更に、顧客の注文が印刷されて調理人に対して発行する飲食店におけるキッチン向けオーダーシート（以後、キッチンシートと呼称する）等がある。
【０００４】
この小型プリンタによる商品データ印刷方法には、事務処理上のミスを減少させるのに役立つ印刷シート上の例えば商品名の見易さが非常に重要であり、一方、小型プリンタは単色で印字されるのが主流であるため、商品ごとの段の組替え、すなわち行分けにより実用に供されていた。
【０００５】
例えば、図１に示されるレシート１では、商品ごとに行を分け、更にセット商品でその内容の単価がない場合には行分けと段落分けとを併用して商品を見やすくしている。一方、商品を購入した顧客側では、予算管理のため購入商品を分類し把握することが必要である。しかし、多数の購入商品に対するレシートの場合、その行数が多く、例えば家庭の場合では、日用品、食料品といった商品分類もされていないので、商品の転記に作業が面倒であると共に間違いも起こし易い。
【０００６】
同様に、例えば、図２に示されるキッチンシート２では、テーブル番号ごとに段落を変えて商品名を見易くしている。しかし、調理人に調理上の便宜を与えることができる食材、調理方法などによる分類がないので、取り扱いが不便である。
【０００７】
すなわち、図１に示されるレシート１、または図２に示されるキッチンシート２では、商品分類されていないので、分類の仕分けは人手に頼っている。したがって、間違いが起こり易い。
【０００８】
この改善策として、小型プリンタにカラープリンタを用い、商品分類毎にそれぞれの特定の色を設定し、商品を色別で印字するものが提案されている。（特許文献１参照）
しかしながら、この提案にあっても、レシートまたはキッチンシートの限られた幅のなかに限られた文字数を出力するため、段組にするとしても、商品名が長い場合等では一行に収まらない場合が生じ、このため、商品名を省略形にせざるを得ないこととなる。更に、商品の区分けにプリンタとして高価なカラープリンタを用いる必要がある。
【特許文献１】特開平１０−１４３７６４号公報
【発明の開示】
【発明が解決しようとする課題】
【０００９】
解決しようとする課題は、限られた幅の印刷シートに、商品名を行ごとに、かつ一部の分類を段落替えして印字する際、長い商品名が二行に跨るか、または、省略形にせざるを得ないことから、商品名の識別または確認が困難な状態があることである。
【００１０】
このような問題の解決に、商品名を色彩情報で区別する方法があるが、カラープリンタおよび多色インクを必要とするのでコストダウンできないことである。
【００１１】
他方、短い商品名が連続し、印刷シートに空白が多い場合、一行に連続印字して印字の行数を減らし、印刷シートの使用量を節約するランニングコスト（管理費用）低減の必要性があることである。
【課題を解決するための手段】
【００１２】
本発明は、小型プリンタが単色で多種の網掛け印字する手段を有し、データを印刷シートに印字する際、予め定められた規則に基づいてデータごとに隣接網掛けとは異なる網掛けで印字することを主要な特徴とする。
【００１３】
このように、印字するデータの識別を容易にするため、色彩情報に代わり網掛けを用いるのでカラープリンタを不要にできる。
【００１４】
また、データごとに隣接網掛けとは異なる網掛けで印字することにより、グループを構成する複数のデータを複数行にわたり行内で連続して印字できるので印刷シート量を低減できるというコストダウンが可能であると共に、一行内で連続印字をしてもデータ区別の見易さを改善することができる。また、網掛け印字は、予め定められた規則で一行置きとしてもよい。
【００１５】
更に、小型プリンタを多色印字するカラープリンタとする場合、データを印字する際、網掛けと色彩情報とを併用することもでき、更に、行単位等で地色も変化させるなど、データ単体のみならずデータ群の分類も見易さを更に向上させることができる。
【００１６】
この方法を用いた具体的な商品データレジスタは、限られた幅の印刷シートに商品名とこの商品の属性とを商品データとして小型プリンタにより印字する商品データレジスタであって、データ入力部、商品データテーブル、受注データテーブル、および処理プログラム格納部、並びにこれらと接続する制御部を含む。
【００１７】
小型プリンタは単色または多色で多種の網掛けを印字する、データ入力部は商品名とこの商品の属性とを商品データとして入力する。商品データテーブルは、取り扱う商品の商品コード並びに商品名およびその単価を予め記録し格納する。受注データテーブルは、前記データ入力部から入力されたデータに基づく顧客番号並びに商品名、その数量および合計価格を記録し格納する。処理プログラム格納部は、商品データの印刷順序に対する網掛け規則を予め設定し、印刷シートの種別ごとに印字の処理手順を予め記録し格納する。
【００１８】
制御部は、前記小型プリンタ、前記データ入力部、前記商品データテーブル、前記受注データテーブル、および前記処理プログラム格納部と接続し、前記データ入力部から顧客番号並びに商品名コードおよびその数量のデータ入力を受けた際に、前記商品データテーブルを参照してその商品名および単価を読み出し、その合計価格を計算して前記受注データテーブルに記録格納する受注データ格納処理、並びに、前記データ入力部から顧客番号により印刷出力要求を受けた際に、前記受注データテーブルから該当する顧客番号対応の商品データを取り出し、この取り出した商品データと所定の前記規則の従った商品データの網掛けとを指示して印字するよう前記小型プリンタに命令する印字命令処理を実行する制御部とを備え、当該印字命令処理により前記小型プリンタが前記商品データを前記印刷シートに印字する際、予め定められた規則に基づいて商品データごとに隣接網掛けとは異なる網掛けで印字する。
【発明の効果】
【００１９】
本発明の小型プリンタによるデータ印刷方法は、単色プリンタを用いてデータごとに網掛け印字するためカラープリンタおよびこれに対応する多色インクを不要にできろので、コストの節約ができるという利点がある。また、一行内に連続印字してよい商品群を一段落として一行に複数データを連続印字してもそれぞれのデータに異なる網掛けができるため、印字の行数を低減して印刷シートの使用長を削減できるので、更にコストの低減ができるという利点がある。
【００２０】
更に、カラープリンタを用いることにより、コスト面では印刷シートの節約のみであるが、網掛け部分に多色の色彩を用いてもよいため、網掛けと色彩とを併用することができるので、データおよびその分類のし易さおよび見易さは更に格段と向上する。
【発明を実施するための最良の形態】
【００２１】
以後、実施例には、上記データを飲食店における商品のデータとして説明するが、商品データは他の各種データにも適用可能である。
【００２２】
まず、限られた幅の印刷シートに、商品名を行ごとに、かつ一部の分類を段落替えして印字する際、長い商品名が二行に跨るか、または、省略形にせざるを得ないことから、商品名の識別または確認が困難な状態があるという欠点、更に、商品名を色情報で区別するにはカラープリンタおよび多色インクを必要としてコストダウンできないという欠点を解決するという目的を、単色で多種の網掛けを印字する手段を有する小型プリンタを用い、商品データを印刷シートに印字する際、予め定められた規則に基づいて商品データごとに隣接網掛けとは異なる網掛けで印字することにより実現した。
【実施例１】
【００２３】
本発明の実施例１について図３を参照して説明する。
【００２４】
図３は、飲食店で顧客番号がテーブル番号で付与され、既に入力された顧客の注文内容から、精算の際に作成されるレシート例をレシート３として示す図である。
【００２５】
店員が受けた注文は、商品名と数量とを含む商品データとしてテーブル番号対応に記録されており、図３では、例えば図１のレシート１に示される定食のようなセット商品で単価のない商品名は、隣接するそれぞれが容易に区別できるように相互に異なる網掛けを施して改行なしの一段落構成により連続して印字されている。図３では、更に、小計金額、合計金額、およびお釣金額それぞれの行に網掛けすることにより、精算内容が見易くされていると共に、印刷行数が短縮できている。
【００２６】
上述したような段落および網掛けの構成はプリンタ用の処理プログラムに予め作成されている。
【実施例２】
【００２７】
本発明の実施例２について図４および図５を併せ参照して説明する。
【００２８】
図４は、飲食店で顧客番号がテーブル番号で付与され、既に入力された顧客の注文内容から、キッチンへの調理要求の際に作成されるシート例をキッチンシート（キッチン向けオーダーシート）４として示す図である。
【００２９】
店員が受けた注文は商品名と数量とを含む商品データとしてテーブル番号対応に記録されており、図４では、例えば図２のキッチンシート２に示されるテーブルごとの商品名およびその数量は、隣接するそれぞれが容易に区別できるように相互に異なる網掛けを施して改行なしで連続して一括印字されている。
【００３０】
図５は、二行以上に跨る一括印字の場合において、行別に網掛けの種別を変化させる例を示す図である。図５の場合、一行目を４種の網掛けＡ，Ｂ，Ｃ，Ｄの順序とする場合、二行目を網掛けＤ，Ａ，Ｂ，Ｃの順序として、隣接する行間での網掛け種別を相違させている。
【００３１】
すなわち、図示されるキッチンシートでは、テーブル番号毎に改行せずに商品名とその数量とが印字され、印刷シートの長さが短縮されているが、隣接同士の商品は相互に異なる種類の網掛けが施されているので、商品の区別が容易であると共にテーブル番号毎の商品を纏めて認識できるので、同時に完成するような配慮も容易に可能である。
【００３２】
上述したような段落および網掛けの構成はプリンタ用の処理プログラムに予め作成されている。
【実施例３】
【００３３】
本発明の実施例３について図６を参照して説明する。実施例３は実施例１または実施例２を実現するための手順である。
【００３４】
すなわち、図６は、上記実施例１におけるレシート３および実施例２におけるキッチンシート４を印刷シート上に印字するための主要手順を示すフローチャートである。従って、このフローチャートは、飲食店で顧客番号がテーブル番号で付与され、既に入力された顧客の注文内容を、キッチンシートに作成、または精算を受けた際のレシートに作成のため、店員が商品データレジスタ（以後、レジスタと略称する）でその注文内容の印刷要求をした場合の、レジスタにおける手順例を示している。
【００３５】
店員が受けた注文は商品名と数量とを含む商品データとしてテーブル番号対応に記録されており、例えば、上述した定食のようなセットもので単価のない商品名、およびキッチンシートに示されるテーブルごとの商品名それぞれは、隣接するそれぞれが容易に区別できるように相互に異なる網掛けを施して改行なしで連続印字する、一括プリント対応商品である。
【００３６】
すなわち、店員からレジスタへの入力があり、テーブル番号によりプリンタへの出力要求が発生（手順Ｓ１）した場合、レジスタは、テーブル番号対応の商品データから最初の商品名を読出し（手順Ｓ２）する。読み出された商品が上述したような一括プリント対応（手順Ｓ３のＹＥＳ）の場合には、例えば図５に示される網掛けの種別順序のように、予め定められた基準で隣接商品に異なる網掛けが指定（手順Ｓ４）され、改行なしの一括プリントが要求（手順Ｓ５）される。
【００３７】
次いで、同一テーブル番号で次の商品あり（手順Ｓ６のＹＥＳ）の場合には、上記手順Ｓ３に戻って、レジスタは上記手順を繰り返す。
【００３８】
上記手順Ｓ３が「ＮＯ」で商品が一括プリント対応ではない場合、レジスタは、行ごとの順次プリント（手順Ｓ７）を要求して、上記手順Ｓ６に進む。
【００３９】
手順Ｓ６が「ＮＯ」で次の商品がない場合、小型プリンタにより印刷シートへのプリントが実行される。
【実施例４】
【００４０】
本発明の実施例４について図７から図１１までを参照して説明する。
【００４１】
図７は本発明のレジスタ（商品データレジスタ）における機能ブロック構成の実施の一形態を示す図である。図面では本発明に係る部分のみを示し、機能上必須であっても、紙面の都合で省略されている構成要素がある。
【００４２】
図示されるレジスタは、例えば上述する飲食店の出入り口に備えられ、データ入力部１１、小型プリンタ１２、商品データ格納部１３、受注データ格納部１４、処理プログラム格納部１５、制御部１６、およびデータ表示部１７を含む。これら構成要素は、バスで接続されており、プロセッサの制御部１６により制御されるものとする。すなわち、レジスタは、プロセッサ、メモリ、入出力機器などにより構成される情報処理装置である。
【００４３】
データ入力部１１は、キーボードなどの入力機器とその制御ユニットであり、店員が顧客の注文を受けて商品名を入力すると商品コードに変換し、次いで入力されるその数量と共に制御部１６へ送出する。その際、顧客番号が、例えば順序番号により自動的に入力される。飲食店の場合、データ入力部１１として、例えば、店員が所持する携帯端末が含まれ、テーブルに着いた顧客に対してテーブル番号を顧客番号として注文を、例えば、無線により制御部１６へ入力することになる。携帯端末の場合でも、通常、商品名と商品コードとの変換テーブルを内蔵し、店員が商品名で入力しても商品コードに変換して送出している。
【００４４】
小型プリンタ１２は、例えば、顧客へのレシートを、制御部１６の指示を受けて単色印字で出力するものとする。小型プリンタ１２がキッチンシート（キッチンへのオーダーシート）を印字出力し、キッチンシートは調理場に運ばれる手順でもよいが、本実施例では、調理場にキッチンプリンタ１２ｋを備え、調理場まで無線によりデータを送って印字出力するものとする。印字出力の際には、制御部１６の指示により、商品名、数量などの商品データごとに、網掛け印字する。また、制御部１６が扱う商品データのデータ量を減少させるため、プリンタの制御ユニットで、商品コードを文字コードに変換する変換手段を有し、印字することとする。従って、キッチンプリンタ１２ｋでは、セットものの商品コードを受けた際にはセット内容を構成する商品名とその数量が上記図４に示されるように印字出力される。
【００４５】
商品データ格納部１３は、商品コード毎に、商品名、単価などを予め記録し格納する商品データテーブル２１を有する。受注データ格納部１４は、データ入力部１１からの入力情報を、その受付けの都度、制御部１６の制御により商品データテーブル２１の格納情報を加味して、顧客番号毎に、商品コード、数量、数量対応の合計価格などにより記録する。処理プログラム格納部１５は、制御部１６が実行するプログラムを予め格納している。飲食店のプリント出力の場合、レシート用処理プログラム２３とキッチンシート用処理プログラム２４とが用意される。
【００４６】
制御部１６は、プロセッサであり、例えば、処理プログラム格納部１５に格納される処理プログラムを用いてレジスタの機能を実行する。その動作手順は図９から図１１までを参照して後に説明される。
【００４７】
データ表示部１７は、小型プリンタ１２と共に出力機器の一つであり、上述したデータ入力部１１を有する店員の携帯端末にも含まれる。
【００４８】
図８は商品データテーブルの実施の一形態を示す図である。ここで、図８を参照して商品データテーブル２１について説明する。
【００４９】
図示される商品データテーブル２１は商品コード、商品名、単価などが予め記録されている。図示されるように、各商品コードには商品名およびその単価が対応する。上述したセット商品では、その商品コードでセット商品を判定できるものとし、その中身の調理品である商品名が商品コードなしおよび単価なしで記録されている。商品データテーブル２１内の商品名は、小型プリンタ１２で印字され、またはデータ表示部１８に画面表示される文字コードにより記録されているものとする。上述するように、通常、商品名と商品コードとを変換する変換テーブルをデータ入力部および出力部の両方に備えることにより、制御部で扱う商品データ量を低減することができる。
【００５０】
また、上記受注データテーブル２２では記憶装置の記憶容量の面から商品名に対応する文字コードは含まず、番号、記号、および数字の組み合わせによりコード化された顧客番号、商品コード、数量、合計価格などの受注データが格納されている。また、図示されていないが、商品コード毎にキッチンオーダー済みか否か、顧客番号毎に精算済みか否かの記録領域が設けられる。したがって、同一商品でもキッチンオーダー後では別注文として取り扱う。
【００５１】
また、レシート用処理プログラム２３は、例えば、上記図３のレシート３の出力を制御部１６が実行する際に用いられ、キッチン用処理プログラム２４は、例えば、上記図４のキッチンシート４の出力を制御部１６が実行する際に用いられる。更に、レシート用には、キッチンオーダー後での同一商品を一括する処理が制御部１６の処理プログラムとして含まれている。
【００５２】
次に、図９に図７を併せ参照して、図７に示されるレジスタ（商品データレジスタ）での、データ入力部１１からデータを入力した際の全体の流れを示す手順について実施の一形態を説明する。
【００５３】
まず、レジスタは、データ入力部１１で、テーブル（食卓）で顧客から注文を受けた店員から入力されたテーブル番号と、商品名から変換した商品コードおよびその数量とを受付け（手順Ｓ１１）し、制御部１６へ送る。制御部１６は、商品コードにより商品データテーブル２１を参照（手順Ｓ１２）して商品コード対応の単価を読み取る。次いで、制御部１６は、テーブル番号を顧客番号として、受付けされた商品コードとその数量、および単価から算出した合価を商品の受注データとして受注データテーブル２２に記録（手順Ｓ１３）する。
【００５４】
この時点で、データ入力部１１に上記手順Ｓ１１による次入力受付けあり（手順Ｓ１４のＹＥＳ）の場合、制御部１６は、入力受付けデータを取り込んで、手順Ｓ１２からの手順を繰り返す。上記手順Ｓ１４が「ＮＯ」で「次入力の受付けなし」の場合には、制御部１６は、図１０を参照して後述するキッチン用処理プログラム２４に従い、受注データに基くキッチンシートを例えばキッチンプリンタ１２ｋから印刷出力（手順Ｓ２０）させる。
【００５５】
この時点で、データ入力部１１に上記手順Ｓ１１による次入力受付けあり（手順Ｓ１５のＹＥＳ）の場合、制御部１６は、入力受付けデータを取り込んで、手順Ｓ１２からの手順を繰り返す。上記手順Ｓ１５が「ＮＯ」で「次入力の受付けなし」の場合には、制御部１６は、店員によるデータ入力部１１からの「精算要求」の入力受付け（手順Ｓ１６）を待って、図１１を参照して後述するレシート用処理プログラム２３に従い、受注データに基くレシートを小型プリンタ１２から印刷出力（手順Ｓ３０）させる。
【００５６】
次に、図１０を参照して、上記キッチン用処理プログラム２４に従った上記図９におけるキッチンシートの印刷出力手順Ｓ２０の詳細についてその実施の一形態を説明する。上述するように、キッチンプリンタ１２ｋが調理場に配備され、受注の際にキッチンシートがキッチンプリンタ１２ｋから印字出力されるものとする。
【００５７】
レジスタにおける制御部１６は、受注データを記録した上記手順Ｓ１３の終了でデータ入力部１１からの次の受注入力受付けがなく手順Ｓ１４が「ＮＯ」の場合、キッチンシートのプリント要求の発生と判断して、該当テーブル番号を顧客番号として受注データテーブル２２から一つの商品コードを読出し（手順Ｓ２１）する。
【００５８】
読み出した商品コードから該当商品がセット商品（手順Ｓ２２のＹＥＳ）の場合には、制御部１６は、商品データテーブル２１からセット商品に対応するセット内容の商品名を読み取り、プリンタ用データ一時メモリ１７に一段落内の一括プリントを指定して記録（手順Ｓ２３）する。
【００５９】
続いて、制御部１６は、受注データテーブル２２で同一テーブル番号を調べ、次の商品データあり（手順Ｓ２４のＹＥＳ）の場合には、上記手順Ｓ２１に戻って上記手順を繰り返す。
【００６０】
上記手順Ｓ２２が「ＮＯ」で読み出した商品がセット商品ではない場合、制御部１６は、同一テーブル番号で同時に注文を受けた他の商品と共に同一段落内に順次連続する一括プリントを指定して記録（手順Ｓ２５）し、上記手順Ｓ２４に続く。
【００６１】
上記手順Ｓ２４が「ＮＯ」で、受注データテーブル２２で同一テーブル番号に次の商品データがない場合、制御部１６は、プリンタ用データ一時メモリ１７で予め定められた規則により隣接商品データに異なる網掛けを指定して記録（手順Ｓ２６）する。次いで、制御部１６は、受注データテーブル２２を調べ、次のテーブル番号あり（手順Ｓ２７のＹＥＳ）の場合、上記手順Ｓ２２に戻り、商品データの読み出しからの手順を繰り返す。
【００６２】
この手順Ｓ２７が「ＮＯ」で次のテーブル番号がない場合、制御部１６は、キッチンプリンタ１２ｋに、プリンタ用データ一時メモリ１７のキッチンシート用データをテーブル番号毎に送り、出力を指示する。したがって、キッチンプリンタ１２ｋは、例えば上記図４に示されるように、キッチンシートを作成して印字出力（手順Ｓ２８）する。
【００６３】
上記説明では、記録された全てのテーブル番号に対する中面を一括して順次印字出力するとしたが、テーブル番号毎に順次印字出力する手順でもよい。
【００６４】
次に、図１１を参照して、上記レシート用処理プログラム２３に従った上記図９におけるレシートの印刷出力手順Ｓ３０の詳細についてその実施の一形態を説明する。小型プリンタ１２は飲食店の出入り口でレジスタに配備され、精算の際にレシートが小型プリンタ１２から印字出力されるものとする。
【００６５】
レジスタにおける制御部１６は、データ入力部１１から精算要求の入力を受付けした手順Ｓ１６がレシートのプリント出力要求の発生と判断して、該当テーブル番号を顧客番号として受注データテーブル２２から一つの商品コードを読み出し（手順Ｓ３１）する。
【００６６】
読み出した商品コードから該当商品がセット商品（手順Ｓ３２のＹＥＳ）の場合には、制御部１６は、商品データテーブル２１からセット商品に対応するセット内容の商品名を読み取り、プリンタ用データ一時メモリ１７に一段落内の一括プリントを指定して記録（手順Ｓ３３）する。次いで、制御部１６は、予め定められた規則により隣接する商品データに異なる網掛けを指定してプリンタ用データ一時メモリ１７に記録（手順Ｓ３４）する。
【００６７】
続いて、制御部１６は、受注データテーブル２２で同一顧客番号を調べ、次の商品データあり（手順Ｓ３５のＹＥＳ）の場合には、上記手順Ｓ３１に戻って上記手順を繰り返す。
【００６８】
上記手順Ｓ３２が「ＮＯ」で読み出した商品コードがセット商品でない場合、制御部１６は、同一顧客番号で同時に注文を受けた他の商品と段落を変え、次の行に順次印字するプリントを指定して記録（手順Ｓ３６）し、上記手順Ｓ３５に続く。
【００６９】
上記手順Ｓ３５が「ＮＯ」で、受注データテーブル２２で同一顧客番号に次の商品データがない場合、制御部１６は、小型プリンタ１２に、プリンタ用データ一時メモリ１７のレシート用データを顧客番号毎に送り、出力を指示する。したがって、小型プリンタ１２は、例えば上記図３に示されるようなレシートを作成して印字出力（手順Ｓ３７）する。
【００７０】
上記説明では、顧客番号をテーブル番号としたが、同一テーブルに異なる顧客が同席することもあり、上記受注データテーブルでは、顧客番号とテーブル番号との併記が採用される。顧客番号は例えば、日付と受付け順序とによる番号が採用される。
【００７１】
このように、印字に際して隣接の商品データに互いに異なる単色の網掛けを行なう形態を採用したので、プリンタ、プリンタ用インク、印刷シートなどでコストを上昇させることなく、レシートまたはキッチンシートの見易さを向上させることができる。
【実施例５】
【００７２】
本発明の実施例５について図１２を参照し、上述したとは相違するレシート５について説明する。
【００７３】
図１２に示される実施例５では、レシート５において、商品名と価格とが組合せられる段組それぞれに対して網掛けしている。この場合、隣接する網掛けはその種別を相違させて、見易いレシートが形成されている。
【実施例６】
【００７４】
本発明の実施例６について図１３を参照し、上述したとは相違するレシート６について説明する。
【００７５】
図１３に示される実施例６では、レシート６において、単純に一行置きに網掛けすることにより、見易いレシートが作成されている。
【００７６】
［他の実施例］
上述した実施例では、単色の小型プリンタを用いているが、多色印字できるカラープリンタを用いて、網掛け部分をそれぞれの種別に対応させた色彩で印刷することができる。
【００７７】
更に、網掛けに色彩を補色として使用、またはこれらを併用して組合せを用いることにより、データを印字する際、行単位等で地色も変化させるなどが可能なため、データ単体のみならずデータ群の分類も見易さを更に向上させることができる。
【００７８】
すなわち、カラープリンタを用いて多色印字とし網掛け印字と併用する場合、装置およびインクのコスト増はあるが、識別の容易なことすなわち見易さは抜群であり、見易さと印刷シート量のコスト節減とは、小型プリンタをカラープリンタにするためのコスト増をはるかに超える利点がある。
【産業上の利用可能性】
【００７９】
本発明による小型プリンタによるデータ印刷方法および商品データレジスタによれば、単色で複数種パターンの網掛け印字可能な小型プリンタを用いて印刷シートに見易く印字することにより、多色のカラープリンタに対して容易にコストダウンできる。
【００８０】
一方、従来改行して段落分けしていたデータのうち、改行せず複数行にわたり一つの段落を形成できる複数のデータを一行内でも連続して印字すると共に、隣接するデータには異なる種類のパターンで網掛け印字することにより、印刷シートの使用量を削減し、ランニングコストの低減を図ることができる。
【００８１】
このためカラープリンタを用いることによって、網掛けの代わりに多色による識別が可能であり、網掛けと色彩との併用による補助の色付けは一層の見易さを実現できるので、従来改行して段落分けにより見易くしていた印字印刷を、改行せず複数行にわたり一つの段落を形成し、多数データを一行内で連続して多数行にわたり印字しても、そのデータ個々の識別のし易さが必要かつ不可欠な用途に適用できる。
【００８２】
従って、本発明によるデータ印刷方法は、商品のデータと限らず、また狭い幅の印刷シートに限定せず、データごとに、網掛け、色彩、およびこれらのないものを組合せて見易く配置できるので、汎用プリンタによる各種データの一覧印字に適用することができる。
【図面の簡単な説明】
【００８３】
【図１】小型プリンタによる従来のレシート印字の一形態を示した図である。
【図２】小型プリンタによる従来のキッチンシート印字の一形態を示した図である。
【図３】小型プリンタによる本発明によるレシート印字の実施の一形態を示した図である。（実施例１）
【図４】小型プリンタによる本発明によるキッチンシート印字の実施の一形態を示した図である。（実施例２）
【図５】本発明における網掛け種別とその順序の実施の一形態を示した図である。
【図６】小型プリンタによる商品データ印刷方法の実施の一形態を示したフローチャートである。（実施例３）
【図７】本発明による商品データレジスタ構成の実施の一形態を示した図である。（実施例４）
【図８】図７に示された商品データテーブルにおける構成の実施の一形態を示した図である。
【図９】図７の構成において、小型プリンタによる商品データ印刷方法のうち印刷開始までの手順の実施の一形態を示したフローチャートである。
【図１０】図９におけるキッチンシート出力手順の実施の一形態を詳細に示したフローチャートである。
【図１１】図９におけるレシート出力手順の実施の一形態を詳細に示したフローチャートである。
【図１２】小型プリンタによる本発明によるレシート印字の実施の一形態を示した図である。（実施例５）
【図１３】小型プリンタによる本発明によるレシート印字の実施の一形態を示した図である。（実施例６）
【符号の説明】
【００８４】
３、５、６    レシート
４    キッチンシート
１１    データ入力部
１２    小型プリンタ
１２ｋ    キッチンプリンタ
１３    商品データ格納部
１４    受注データ格納部
１５    処理プログラム格納部
１６    制御部
１７    プリンタ用データ一時メモリ
１８    データ表示部
２１    商品データテーブル
２２    受注データテーブル
２３    レシート用処理プログラム
２４    キッチン用処理プログラム
【図１】
2005088243.tif 000003
【図２】
2005088243.tif 000004
【図３】
2005088243.tif 000005
【図４】
2005088243.tif 000006
【図５】
2005088243.tif 000007
【図６】
2005088243.tif 000008
【図７】
2005088243.tif 000009
【図８】
2005088243.tif 000010
【図９】
2005088243.tif 000011
【図１０】
2005088243.tif 000012
【図１１】
2005088243.tif 000013
【図１２】
2005088243.tif 000014
【図１３】
2005088243.tif 000015